(57)【要約】【課題】従来よりも高い気密性を有する改装サッシを提供すること。【解決手段】建物の開口部に取り付けられた既設枠１１０の内周面を覆うように取り付けられる新設枠１２０を備える改装サッシ１であって、既設枠１１０の屋内側部１１０Ａと新設枠１２０の屋内側部１２０Ａとに跨って両枠の延設方向に延びて設けられ、両屋内側部を接合するための第２取付部材１５０と、既設枠１１０と第２取付部材１５０との接合部に設けられ、当該接合部の隙間を塞ぐ第１気密部材１Ａと、新設枠１２０と第２取付部材１５０との接合部に設けられ、当該接合部の隙間を塞ぐ第３気密部材３Ａと、を備え、第１気密部材１Ａ及び第３気密部材３Ａのいずれか一方又は両方は、両枠の四周に亘って連続して設けられることを特徴とする改装サッシ１である。【選択図】図１１
2015124545.tif 000002
【特許請求の範囲】
【請求項１】
建物の開口部に取り付けられた既設枠の内周面を覆うように取り付けられる新設枠を備える改装サッシであって、
前記既設枠の屋内側部と前記新設枠の屋内側部とに跨って両枠の延設方向に延びて設けられ、両屋内側部を接合するための取付部材と、
前記既設枠と前記取付部材との接合部に設けられ、当該接合部の隙間を塞ぐ既設枠側気密部材と、
前記新設枠と前記取付部材との接合部に設けられ、当該接合部の隙間を塞ぐ新設枠側気密部材と、を備え、
前記既設枠側気密部材及び前記新設枠側気密部材のいずれか一方又は両方は、両枠の四周に亘って連続して設けられることを特徴とする改装サッシ。
【請求項２】
前記既設枠側気密部材は、前記取付部材の延設方向に沿って延びる長尺状の４つの第１気密部材を含んで構成されることを特徴とする請求項１に記載の改装サッシ。
【請求項３】
前記既設枠側気密部材は、前記両枠の四隅に設けられた４つの第２気密部材を含んで構成されることを特徴とする請求項２に記載の改装サッシ。
【請求項４】
前記既設枠側気密部材は、前記第１気密部材が前記第２気密部材に当接することで、前記両枠の四周に亘って連続することを特徴とする請求項３に記載の改装サッシ。
【請求項５】
前記新設枠側気密部材は、前記取付部材の延設方向に沿って延びる長尺状の４つの第３気密部材を含んで構成されることを特徴とする請求項１から４いずれかに記載の改装サッシ。
【請求項６】
前記新設枠側気密部材は、前記両枠の四隅に設けられた４つの第４気密部材を含んで構成されることを特徴とする請求項５に記載の改装サッシ。
【請求項７】
前記新設枠側気密部材は、前記第３気密部材が前記第４気密部材に当接することで、前記両枠の四周に亘って連続することを特徴とする請求項６に記載の改装サッシ。
【請求項８】
請求項１から７いずれかに記載の改装サッシの施工方法であって、
前記既設枠の内周面に前記新設枠を取り付ける新設枠取付工程と、
前記既設枠と前記新設枠との間に形成された隙間に、屋内側からライナーを挿入するライナー挿入工程と、
前記取付部材により、前記既設枠の屋内側部と前記新設枠の屋内側部を接合する接合工程と、を有し、
前記接合工程は、前記既設枠側気密部材を介して前記取付部材を前記既設枠に押し当てた状態で、屋内側から前記取付部材を前記既設枠に締結することで、前記新設枠側気密部材を新設枠に押し当てることを特徴とする改装サッシの施工方法。
【発明の詳細な説明】
【技術分野】
【０００１】
本発明は、改装サッシ及びその施工方法に関する。
【背景技術】
【０００２】
従来、マンション等の建物の開口部に取り付けられた既設枠を改装する方法として、カバー工法が広く採用されている。このカバー工法によって改装された改装サッシでは、建物の開口部に取り付けられた既設枠に対して、その内周面を覆うように新設枠が取り付けられる（例えば、特許文献１参照）。
【０００３】
ところで改装サッシでは、既設枠に新設枠を取り付けるに際して、気密性を確保する観点から両枠間の隙間を塞ぐことが重要である。そのため、特許文献１の改装サッシでは、上横枠と左右の縦枠については、既設枠の屋外側部と新設枠の屋外側部との接合部に気密部材が設けられる。また下横枠については、水密性も確保する観点から、既設枠の屋内側部と新設枠の屋内側部にブラケットを介して気密部材が設けられる。
【先行技術文献】
【特許文献】
【０００４】
【特許文献１】特開２００７−１３８５６０号公報
【発明の概要】
【発明が解決しようとする課題】
【０００５】
しかしながら特許文献１の改装サッシでは、上述したように上横枠と左右の縦枠の気密部材が屋外側に設けられる一方で、下横枠の気密部材が屋内側に設けられる。そのため、これら気密部材で形成される気密ラインが枠の四周において連続しておらず、高い気密性を確保するのが困難であった。
【０００６】
また、各枠の屋外側部には網戸の取付部材が取り付けられる等、表面が凹凸状に形成されている。そのため、上横枠と左右の縦枠において、枠と気密部材の接触性が不十分となるおそれがあり、高い気密性を確保するのが困難であった。
【０００７】
また、特許文献１の改装サッシでは、既設枠の屋内側部と新設枠の屋内側部とが連結金具により連結されるとともに、当該連結金具を覆うように新設額縁が既設額縁に取り付けられているものの、枠と連結金具はメタルタッチであるため、これにより十分な気密性を確保するのは困難であった。
【０００８】
本発明は上記に鑑みてなされたものであり、その目的は、従来よりも高い気密性を有する改装サッシを提供することにある。
【課題を解決するための手段】
【０００９】
上記目的を達成するため本発明は、建物の開口部に取り付けられた既設枠（例えば、後述の既設枠１１０，２１０，３１０，４１０）の内周面を覆うように取り付けられる新設枠（例えば、後述の新設枠１２０，２２０，３２０，４２０）を備える改装サッシであって、前記既設枠の屋内側部（例えば、後述の屋内側部１１０Ａ，２１０Ａ，３１０Ａ，４１０Ａ）と前記新設枠の屋内側部（例えば、後述の屋内側部１２０Ａ，２２０Ａ，３２０Ａ，４２０Ａ）とに跨って両枠の延設方向に延びて設けられ、両屋内側部を接合するための取付部材（例えば、後述の第２取付部材１５０，２５０，３５０，４５０）と、前記既設枠と前記取付部材との接合部に設けられ、当該接合部の隙間を塞ぐ既設枠側気密部材（例えば、後述の第１気密部材１Ａ，１Ｂ，１Ｃ，１Ｄ、第２気密部材２Ａ，２Ｂ，２Ｃ，２Ｄ）と、前記新設枠と前記取付部材との接合部に設けられ、当該接合部の隙間を塞ぐ新設枠側気密部材（例えば、後述の第３気密部材３Ａ，３Ｂ，３Ｃ，３Ｄ、第２気密部材２Ａ，２Ｂ，２Ｃ，２Ｄ）と、を備え、前記既設枠側気密部材及び前記新設枠側気密部材のいずれか一方又は両方は、両枠の四周に亘って連続して設けられることを特徴とする改装サッシ（例えば、後述の改装サッシ１）を提供する。
【００１０】
前記既設枠側気密部材は、前記取付部材の延設方向に沿って延びる長尺状の４つの第１気密部材（例えば、後述の第１気密部材１Ａ，１Ｂ，１Ｃ，１Ｄ）を含んで構成されることが好ましい。
【００１１】
前記既設枠側気密部材は、前記両枠の四隅に設けられた４つの第２気密部材（例えば、後述の第２気密部材２Ａ，２Ｂ，２Ｃ，２Ｄ）を含んで構成されることが好ましい。
【００１２】
前記既設枠側気密部材は、前記第１気密部材が前記第２気密部材に当接することで、前記両枠の四周に亘って連続することが好ましい。
【００１３】
前記新設枠側気密部材は、前記取付部材の延設方向に沿って延びる長尺状の４つの第３気密部材（例えば、後述の第３気密部材３Ａ，３Ｂ，３Ｃ，３Ｄ）を含んで構成されることが好ましい。
【００１４】
前記新設枠側気密部材は、前記両枠の四隅に設けられた４つの第４気密部材（例えば、後述の第２気密部材２Ａ，２Ｂ，２Ｃ，２Ｄ）を含んで構成されることが好ましい。
【００１５】
前記新設枠側気密部材は、前記第３気密部材が前記第４気密部材に当接することで、前記両枠の四周に亘って連続することが好ましい。
【００１６】
また、上記改装サッシの施工方法であって、前記既設枠の内周面に前記新設枠を取り付ける新設枠取付工程と、前記既設枠と前記新設枠との間に形成された隙間に、屋内側からライナー（例えば、後述のライナー１４０，３４０，４４０）を挿入するライナー挿入工程と、前記取付部材により、前記既設枠の屋内側部と前記新設枠の屋内側部を接合する接合工程と、を有し、前記接合工程は、前記既設枠側気密部材（例えば、後述の第１気密部材１Ａ，１Ｂ，１Ｃ，１Ｄ）を介して前記取付部材を前記既設枠に押し当てた状態で、屋内側から前記取付部材を前記既設枠に締結することで、前記新設枠側気密部材（例えば、後述の第３気密部材３Ａ，３Ｂ，３Ｃ，３Ｄ）を新設枠に押し当てることを特徴とする改装サッシの施工方法を提供する。
【発明の効果】
【００１７】
本発明によれば、従来よりも高い気密性を有する改装サッシを提供できる。
【図面の簡単な説明】
【００１８】
【図１】本発明の一実施形態に係る改装サッシを室内側から見た正面図である。
【図２】上記実施形態に係る改装サッシの縦断面図である。
【図３】上記実施形態に係る改装サッシの横断面図である。
【図４】図２に示す改装サッシの上横枠部分の拡大図である。
【図５】図２に示す改装サッシの下横枠部分の拡大図である。
【図６】図３に示す改装サッシの左縦枠部分の拡大図である。
【図７】上記実施形態に係る改装サッシの第２気密部材の配置を示す縦断面図である。
【図８】上記実施形態に係る改装サッシの第２気密部材の配置を示す横断面図である。
【図９】上記実施形態に係る改装サッシの第２気密部材の配置を示す斜視図である。
【図１０】上記実施形態に係る改装サッシの第２気密部材の配置を示す斜視図である。
【図１１】上記実施形態に係る改装サッシの気密部材の配置を模式的に示す正面図である。
【図１２】上記実施形態に係る改装サッシの施工手順を示す図である。
【発明を実施するための形態】
【００１９】
以下、本発明の一実施形態について、図面を参照しながら詳しく説明する。
本発明の一実施形態に係る改装サッシは、マンションの壁の開口部に納められた引違い窓タイプの改装サッシである。本実施形態に係る改装サッシは、カバー工法によって形成される。
なお本明細書において、「見付方向」とは、マンションの壁の開口部に納められた引違い窓における障子の面方向（即ち、左右方向）を意味し、「見込方向」とは、屋内外方向（即ち、奥行き方向）を意味する。また、左右方向は、屋内側から見た左右方向を意味する。また、共通する構成については、同一の規則性に従った符号を付す。
【００２０】
図１は、本実施形態に係る改装サッシ１を室内側から見た正面図である。より詳しくは、内障子２０及び外障子３０を閉鎖したときの改装サッシ１を、室内側から見た正面図である。
図１に示すように、改装サッシ１は、いずれも長尺状の上横枠１００、下横枠２００、左縦枠３００及び右縦枠４００により矩形に枠組みされた窓枠１０と、該窓枠１０内に開閉可能に嵌め込まれた内障子２０及び外障子３０と、を備える。
【００２１】
内障子２０は、いずれも長尺状の上横框２１、下横框２２、左縦框（召内框）２３及び右縦框（戸先框）２４により矩形に枠組みされた框体２５と、框体２５内に嵌め込まれて固定されたガラス２６と、を含んで構成される。
外障子３０は、いずれも長尺状の上横框３１、下横框３２、左縦框（戸先框）３３及び右縦框（召外框）３４により矩形に枠組みされた框体３５と、框体３５内に嵌め込まれて固定されたガラス３６と、を含んで構成される。
【００２２】
内障子２０と外障子３０の召合わせには、戸締り用のクレセント錠４０が設けられている。これら内障子２０及び外障子３０は、いずれも引き戸であり、これらを見付方向にスライドさせることで、開口部が閉鎖又は開放される。
【００２３】
図２は、本実施形態に係る改装サッシ１の縦断面図である。図２に示すように、ガラス２６，３６は、それぞれ、屋外側の板ガラス２６１ａ，３６１ａと、屋内側の板ガラス２６２ａ，３６２ａと、これら２枚の板ガラスで挟持されたスペーサ２６３，３６３と、を備える複層ガラスであり、優れた断熱性を有する。
【００２４】
上枠１００は、既設枠１１０と、新設枠１２０と、第１取付部材１３０と、ライナー１４０と、第２取付部材１５０と、額縁部材１６０と、を含んで構成される。なお、ライナー１４０を除いて、これら及びこれらを構成する部分はいずれも、見付方向に延びて通しで設けられている。
【００２５】
既設枠１１０は、既設の木製額縁１１２にねじ７Ａによりねじ止めされた連結金具１１１に連結されている。既設枠１１０は、屋内側から屋外側に向かって順に、それぞれ下方に垂設された、屋内側部１１０Ａと、既設ガイドレール１１０Ｂ，１１０Ｃと、屋外側部１１０Ｄと、を備える。
屋内側部１１０Ａは、その屋外側面に後述する第１取付部材１３０が当接するとともに、その屋内側面に後述する第２取付部材１５０が連結される。
既設ガイドレール１１０Ｂ，１１０Ｃは、改装前に使用されていた障子用のガイドレールである。
屋外側部１１０Ｄは、その屋内側面に後述する第１取付部材１３０が当接するとともに、その屋外側面に後述する新設枠１２０に取り付けられたカバー材１２０Ｅが当接する。
【００２６】
新設枠１２０は、第１取付部材１３０及びライナー１４０を介して、既設枠１１０の下部に取り付けられる。
第１取付部材１３０は、既設枠１１０に新設枠１２０を取り付けるための部材である。第１取付部材１３０は、略平板状であり、その上面に既設ガイドレール１１０Ｂ，１１０Ｃの先端が当接する。見込方向の略中央に形成された凸部において、第１取付部材１３０はねじ７Ｂにより既設枠１１０にねじ止めされる。
第１取付部材１３０は、その屋内側端部に、上方に立設され且つその先端が屋内側に屈曲して既設枠１１０の屋内側部１１０Ａに当接する屋内側係合部１３０Ａを備える。また、第１取付部材１３０は、その屋外側端部に、上方に立設されて既設枠１１０の屋外側部１１０Ｄの屋内側面に当接する屋外側係合部１３０Ｂを備える。これら屋内側係合部１３０Ａと屋外側係合部１３０Ｂにより、第１取付部材１３０は既設枠１１０に係合する。
【００２７】
ライナー１４０は、既設枠１１０と新設枠１２０との隙間を埋める部材である。ライナー１４０は、本実施形態では４枚積層されているが、ライナー１４０の枚数は適宜調整される。このライナー１４０は、見付方向に所定間隔を設けて配置される。具体的には、ライナー１４０は、既設枠１１０に固定された第１取付部材１３０に新設枠１２０をねじ止めする、後述のねじ７Ｃ，７Ｄのピッチごとに配置される。
【００２８】
新設枠１２０は、その屋内側において、後述する額縁部材１６０とともにライナー１４０を介して、既設枠１１０にねじ止めされた第１取付部材１３０にねじ７Ｃによりねじ止めされる。また、新設枠１２０は、その屋外側において、ライナー１４０を介して、既設枠１１０にねじ止めされた第１取付部材１３０にねじ７Ｄによりねじ止めされる。
【００２９】
新設枠１２０は、屋内側から屋外側に向かって順に、それぞれ下方に垂設された、屋内側部１２０Ａと、新設ガイドレール１２０Ｂ，１２０Ｃと、屋外側部１２０Ｄと、を備える。
屋内側部１２０Ａには、額縁部材１６０が取り付けられるとともに、その屋内側面には、第２取付部材１５０が第３気密部材３Ａを介して当接する。
新設ガイドレール１２０Ｂは、内障子２０用のガイドレールであり、新設ガイドレール１２０Ｃは、外障子用ガイドレールである。これら新設ガイドレール１２０Ｂ，１２０Ｃには、後述する内障子２０又は外障子３０の上端部に取り付けられた上部振れ止め部材５１，５２が係合する。これにより、内障子２０又は外障子３０が窓枠１０内を見付方向にスムーズにスライド可能となっている。
屋外側部１２０Ｄは、外障子３０よりも屋外側に設けられ、外障子３０の上端部と上下方向において重複するまで下方に延出することで、外障子３０の上端部を覆っている。
【００３０】
額縁部材１６０は、上述の連結金具１１１を介して木製額縁１１２にねじ止めされて下方に延出する第１額縁部材１６１と、第２取付部材１５０の屋内側で上下方向に延設されて第１額縁部材１６１に係合する第２額縁部材１６２と、第２額縁部材１６２の下端部及び新設枠１２０屋内側部１２０Ａの下部に取り付けられて屈曲しながら見込方向に延設された第３額縁部材１６３と、を含んで構成される。
第１額縁部材１６１と第２額縁部材１６２は、互いに上下方向に逆向きの折り返し部を有し、これら折り返し部同士が互いに嵌合され且つその嵌合深さが調整可能であることで、新設枠１２０の上下方向の位置ずれが吸収されて位置調整される。
【００３１】
第２取付部材１５０は、既設枠１１０と新設枠１２０とを接合し、当該第２取付部材１５０に取り付けられた気密部材により、既設枠１１０と新設枠１２０との間の隙間を塞ぐ機能を有する。この第２取付部材１５０については、当該第２取付部材１５０に取り付けられた気密部材とともに、後段で詳述する。
【００３２】
一方、下横枠２００は、既設枠２１０と、新設枠２２０と、第２取付部材２５０と、額縁部材２６０と、を含んで構成される。なお、これらは特に断りの無い限り、いずれも見付方向に延びて通しで設けられている。
【００３３】
既設枠２１０は、既設の木製額縁２１２にねじ７Ｆによりねじ止めされた連結金具２１１に連結されている。既設枠２１０は、屋内側から屋外側に向かって階段状に下降するように形成されている。また、既設枠２１０は、屋内側から屋外側に向かって順に、それぞれ上方に立設された、屋内側部２１０Ａと、既設ガイドレール２１０Ｂ，２１０Ｃと、屋外側部２１０Ｄと、を備える。
屋内側部２１０Ａは、上述の連結金具２１１を介して既設の木製額縁２１２に固定されるとともに、その上端部は、後述する第２取付部材２５０に第１気密部材１Ｂを介して当接する。
既設ガイドレール２１０Ｂ，２１０Ｃは、改装前に使用されていた障子用のガイドレールである。
屋外側部２１０Ｄは、その屋内側面に後述する第２取付部材２５０の階段状部２５０Ｃの屋外側端部が当接するとともに、その屋外側面に後述する新設枠２２０の屋外側で下方に延びる屋外側垂設部２２０Ｄが当接する。
【００３４】
第２取付部材２５０は、既設枠２１０に新設枠２２０を取り付けるための部材である。第２取付部材２５０は、既設枠２１０と同様に、屋内側から屋外側に向かって階段状に下降するように形成されている。また、第２取付部材２５０は、屋内側に略水平に延出し且つ上述の連結金具を介して木製額縁２１２にねじ止めされた水平部２５０Ａと、当該水平部２５０Ａの屋外側端部から下方に垂設された垂設部２５０Ｂと、当該垂設部２５０Ｂから屋外側に向かって階段状に下降する階段状部２５０Ｃと、を備える。
水平部２５０Ａは、その上面に後述する額縁部材２６０が取り付けられ、その下面に上述した既設枠２１０の屋内側部２１０Ａの上端部が第１気密部材１Ｂを介して当接する。
垂設部２５０Ｂは、その屋外側面に取り付けられた第３気密部材３Ｂを介して、新設枠２２０の屋内側部２２０Ａに当接する。
階段状部２５０Ｃは、その上面が後述する新設枠２２０と当接し、新設枠２２０にねじ７Ｇによりねじ止めされる。また、階段状部２５０Ｃの屋外側端部は、既設枠２１０の既設ガイドレール２１０Ｃと屋外側部２１０Ｄとの間に嵌合する。
【００３５】
新設枠２２０は、屋内側から屋外側に向かって順に、それぞれ上方に立設された、屋内側部２２０Ａと、新設ガイドレール２２０Ｂ，２２０Ｃと、屋外側垂設部２２０Ｄと、を備える。
屋内側部２２０Ａには、額縁部材２６０が取り付けられるとともに、その屋内側面には、第２取付部材２５０の垂設部２５０Ｂが第３気密部材３Ｂを介して当接する。
新設ガイドレール２２０Ｂは、内障子２０用のガイドレールであり、新設ガイドレール２２０Ｃは、外障子用ガイドレールである。これら新設ガイドレール２２０Ｂ，２２０Ｃには、内障子２０又は外障子３０の底部に取り付けられた戸車５６ａ，５６ｂが、転動可能に係合する。
屋外側垂設部２２０Ｄは、第２取付部材２５０の階段状部２５０Ｃの屋外側端部とともに、既設枠２１０の屋外側部２１０Ｄにねじ７Ｈによりねじ止めされる。
【００３６】
額縁部材２６０は、屋内側に配置され且つ第２取付部材２５０の水平部２５０Ａ上に取り付けられた第１額縁部材２６１と、当該第１額縁部材２６１の屋外側に取り付けられた第２額縁部材２６２と、を含んで構成される。
【００３７】
なお、第２取付部材２５０に取り付けられた気密部材については、後段で詳述する。
【００３８】
内障子２０の上横框２１は、外障子３０の上横框３１と略同一の構成であり、内障子２０の下横框２２は、外障子３０の下横框３２と略同一の構成である。これらの框はいずれも、見付方向に延びて通しで設けられている。従って、以下では、内障子２０の上横框２１及び下横框２２についてのみ説明する。
【００３９】
上横框２１は、中空部を有するホロー構造の上横框本体２１ａと、上横框本体２１ａの下面の屋外側で下方に垂設された上横框垂設部２１ｂと、上横框本体２１ａの屋内側で上横框本体２１ａの上端から上横框垂設部２１ｂの位置まで延出する上横框屋内側部２１ｃと、を備える。
上横框本体２１ａの上部に形成された開口には上部振れ止め部材５１が設けられ、この上部振れ止め部材５１に上述の新設ガイドレール１２０Ｂが係合する。
上横框垂設部２１ｂと上横框屋内側部２１ｃの下端部とにより、緩衝部材５５ａを介してガラス２６の上端部が挟持される。
【００４０】
下横框２２は、中空部を有するホロー構造の下横框本体２２ａと、下横框本体２２ａの上面の屋外側に立設された下横框立設部２２ｂと、下横框本体２２ａの屋内側で下横框本体２２ａの下端から下横框立設部２２ｂの位置まで延出する下横框屋内側部２２ｃと、を備える。
下横框立設部２２ｂと下横框屋内側部２２ｃの上端部とにより、緩衝部材５５ａを介してガラス２６の下端部が挟持される。
【００４１】
下横框本体２２ａの中空部内には下部振れ止め部材５３が設けられる。下部振れ止め部材５３の下端が、下横框本体２２ａの下面に形成された開口から下方に突出し、新設ガイドレール２２０Ｂに係合する。また、中空部内に設けられた戸車５６ａが、下横框本体２２ａの下面に形成された開口から下方に突出し、新設ガイドレール２２０Ｂに転動可能に係合する。これにより、内障子２０が新設ガイドレール２２０Ｂに沿ってスライド移動する際に、下部振れ止め部材５３によって内障子の２０の見込方向のがたつきが抑制される。
【００４２】
図３は、本実施形態に係る改装サッシ１の横断面図である。なお、左縦枠３００と右縦枠４００は同一の構成であるため、以下では左縦枠３００についてのみ説明する。同様に、外障子３０の左縦框（戸先框）３３と内障子２０の右縦框（戸先框）２４は同一の構成であるため、以下では外障子３０の左縦框３３についてのみ説明する。
【００４３】
図３に示すように、左縦枠３００は、既設枠３１０と、新設枠３２０と、第１取付部材３３０と、ライナー３４０と、第２取付部材３５０と、額縁部材３６０と、を含んで構成される。なお、ライナー３４０を除いて、これら及びこれらを構成する部分はいずれも、上下方向に延びて通しで設けられている。
【００４４】
既設枠３１０は、既設の木製額縁３１２にねじ７Ｉによりねじ止めされた連結金具３１１に連結されている。既設枠３１０は、屋内側から屋外側に向かって順に、それぞれ障子側（右側）に延出する、屋内側部３１０Ａと、リブ３１０Ｂと、屋外側部３１０Ｃと、を備える。
屋内側部３１０Ａは、その屋外側面に後述する第１取付部材３３０が当接するとともに、その屋内側面に後述する第２取付部材３５０が連結される。
リブ３１０Ｂは、改装前に使用されていた障子のガイドであり、その屋外側面に後述する第１取付部材３３０が当接する。
屋外側部３１０Ｃは、その屋内側面に第１取付部材３３０が当接するとともに、その屋外側面に後述する新設枠３２０に取り付けられたカバー材３２０Ｅが当接する。
【００４５】
新設枠３２０は、第１取付部材３３０及びライナー３４０を介して、既設枠３１０の障子側に取り付けられる。
第１取付部材３３０は、既設枠３１０に新設枠３２０を取り付けるための部材である。第１取付部材３３０は、略平板状であり、見込方向の略中央に形成された凸部において、第１取付部材３３０は既設枠３１０にねじ７Ｊによりねじ止めされる。
第１取付部材３３０は、その屋内側端部において、既設枠３１０側（左側）に延出して既設枠３１０に当接する屋内側係合部３３０Ａを備える。また、第１取付部材３３０は、その屋外側端部に、既設枠３１０側に延出して既設枠３１０の屋外側部３１０Ｃの屋内側面に当接する屋外側係合部３３０Ｂを備える。これら屋内側係合部３３０Ａと屋外側係合部３３０Ｂにより、第１取付部材３３０は既設枠３１０に係合する。
【００４６】
ライナー３４０は、既設枠３１０と新設枠３２０との隙間を埋める部材である。ライナー３４０は、本実施形態では４枚積層されているが、ライナー３４０の枚数は適宜調整される。このライナー３４０は、上下方向に所定間隔を設けて配置される。具体的には、ライナー３４０は、既設枠３１０に固定された第１取付部材３３０に新設枠３２０をねじ止めするねじ７Ｋ，７Ｌのピッチごとに配置される。
【００４７】
新設枠３２０は、その屋内側において、後述する額縁部材３６０とともにライナー３４０を介して、既設枠３１０にねじ止めされた第１取付部材３３０にねじ７Ｋによりねじ止めされる。また、新設枠３２０は、その屋外側において、ライナー３４０を介して、既設枠３１０にねじ止めされた第１取付部材３３０にねじ７Ｌによりねじ止めされる。
【００４８】
新設枠３２０は、見込方向に延びて設けられ、屋内側から屋外側に向かって順に、それぞれ障子側に延出する、屋内側部３２０Ａと、リブ３２０Ｂと、屋外側部３２０Ｃと、を備える。
屋内側部３２０Ａには、後述する額縁部材３６０が取り付けられるとともに、その屋内側面には、後述する第２取付部材３５０が第３気密部材３Ｃを介して当接する。
リブ３２０Ｂは、後述する左縦框（戸先框）３３の戸先側に取り付けられた中間振れ止め部材６２に当接する。
屋外側部３２０Ｃは、外障子３０よりも屋外側に設けられ、閉じた状態の外障子３０の左端部と左右方向において重複するまで障子側に延出することで、外障子３０の左端部を覆っている。
【００４９】
また、新設枠３２０の障子側には、新設枠３２０の障子側面を覆って保護するための新設枠保護部材３２０Ｄが上下方向に延設されている。
また、新設枠保護部材３２０Ｄの内障子２０側の下部には、排水孔６１ａを備える内障子ストッパー６１が設けられる。この内障子ストッパー６１により、内障子２０の開放時に、クレセント錠４０が左縦枠３００に衝突するのが回避され、左縦枠３００やクレセント錠４０の破損が回避される。
【００５０】
額縁部材３６０は、上述の連結金具３１１を介して木製額縁３１２にねじ止めされて見付方向に延出する第１額縁部材３６１と、新設枠３２０の屋内側部３２０Ａに取り付けられて見込方向に延出した後、見付け方向の既設枠３１０側に屈曲して延出し、第１額縁部材３６１に係合する第２額縁部材３６２と、を含んで構成される。
第１額縁部材３６１と第２額縁部材３６２は、互いに見付方向に逆向きの折り返し部を有し、これら折り返し部同士が見付方向に移動可能に係合することで、新設枠３２０の見付方向の位置ずれが吸収されて位置調整される。
【００５１】
第２取付部材３５０は、既設枠３１０と新設枠３２０とを接合し、当該第２取付部材３５０に取り付けられた気密部材により、既設枠３１０と新設枠３２０との間の隙間を塞ぐ機能を有する。この第２取付部材３５０及び当該第２取付部材３５０に取り付けられた気密部材については、後段で詳述する。
【００５２】
外障子３０の左縦框（戸先框）３３は、中空部を有するホロー構造の左縦框本体３３ａと、左縦框本体３３ａの障子側面の屋外側で障子側に延出する左縦框延出部３３ｂと、左縦框本体３３ａの屋内側で左縦框本体３３ａの左縦枠３００側の端部から左縦框延出部３３ｂの位置まで延出する左縦框屋内側部３３ｃと、を備える。
左縦框本体３３ａの左縦枠３００側に形成された開口には中間振れ止め部材６２が設けられ、この中間振れ止め部材６２に上述のリブ３２０Ｂが係合する。
左縦框延出部３３ｂと左縦框屋内側部３３ｃの障子側端部とにより、緩衝部材６３ａを介してガラス３６の左縦框側（戸先側）端部が挟持される。
【００５３】
外障子３０の右縦框（召外框）３４は、中空部を有するホロー構造の右縦框本体３４ａにより構成される。右縦框本体３４ａの左縦枠３００側に形成された開口には、ガラス３６の右縦框側端部が挿入され、その開口縁によりガラス３６の右縦框側端部が緩衝部材６４ａを介して挟持される。
【００５４】
右縦框３４の屋内側には、後述する内障子２０の左縦框（召内框）２３に設けられたクレセント錠４０のクレセント金具４１が係合するクレセント受け金具４５が設けられる。また、右縦框３４の屋内側には、内障子２０の左縦框２３に設けられた後述の溝部２３ｂに係合する係合部３４ｂが設けられる。
【００５５】
内障子２０の左縦框２３は、見込方向に連なる２つの中空部を有するホロー構造の左縦框本体２３ａにより構成される。
左縦框本体２３ａの内障子側に形成された開口には、ガラス２６の左縦框側端部が挿入され、その開口縁によりガラス２６の左縦框側端部が緩衝部材６５ａを介して挟持される。
【００５６】
また、左縦框本体２３ａの屋外側には、見付方向に延び、上述の係合部３４ｂが係合する溝部２３ｂが設けられる。
また、左縦框本体２３ａの屋内側の全面を覆って保護するための左縦框保護部材２３ｃが上下方向に延設されている。
【００５７】
左縦框保護部材２３ｃの外障子３０側の見込面には、戸締まり用のクレセント錠４０が設けられる。なお、左縦框保護部材２３ｃの屋内側面には、その全面を覆う意匠部材２３ｄが設けられる。
クレセント錠４０は、左縦框保護部材２３ｃの外障子３０側の見込面に取り付けられた基部４３と、操作用レバー４２と、操作用レバー４２に連動して回転し、上述のクレセント受け金具４５に係合するクレセント金具４１と、基部４３に設けられたサブロック４４と、を備える。
【００５８】
次に、本実施形態に係る改装サッシ１の気密部材について、詳しく説明する。
図４は、図２に示す改装サッシ１の上横枠１００部分の拡大図である。図４に示すように、第２取付部材１５０は、略水平に延びる水平部１５１と、水平部１５１から垂直に上方に延びる垂直部１５２と、を含んで構成される。
【００５９】
水平部１５１の屋外側端部には、第３気密部材３Ａが取り付けられており、第２取付部材１５０は、この第３気密部材３Ａを介して新設枠１２０の屋内側部１２０Ａに当接している。第３気密部材３Ａは、中空部を有する軟質樹脂製の気密パッキンであり、当該中空部が押し潰されることで、高い気密性が得られる。この第３気密部材３Ａは、枠の延設方向に延びて通しで設けられている。
【００６０】
また、垂直部１５２は、既設枠１１０の屋内側部１１０Ａの真下に配置されている。垂直部１５２の上端部には第１気密部材１Ａが取り付けられており、第２取付部材１５０は、この第１気密部材１Ａを介して既設枠１１０の屋内側部１１０Ａの下部に当接している。第１気密部材１Ａは、軟質樹脂製の平板状の気密パッキンであり、既設枠１１０と第２取付部材１５０との間に配置されることで、高い気密性が得られる。この第１気密部材１Ａは、枠の延設方向に延びて通しで設けられている。
【００６１】
また、第２取付部材１５０の垂直部１５２の上端部には、垂直部１５２よりも屋内側にずれてさらに垂直に上方に延びる延出部１５３が設けられている。この延出部１５３は、既設枠１１０の屋内側部１１０Ａに第１取付部材１３０とともにねじ止めされている。
ここで、延出部１５３の基端部と先端部には、既設枠１１０の屋内側部１１０Ａに向かって延びるリブ１５３Ａ，１５３Ｂが設けられており、先端部のリブ１５３Ｂは、基端部のリブ１５３Ａよりも長く延出している。そのため、延出部１５３が既設枠１１０の屋内側部１１０Ａにねじ止めされると、延出部１５３及び垂直部１５２を介して、水平部１５１の屋外側端部に取り付けられた第３気密部材３Ａを、新設枠１２０の屋内側部１２０Ａに強く押圧する力が作用する。その結果、第３気密部材３Ａの中空部が強く押し潰されることで、より高い気密性が確保されるようになっている。
【００６２】
また、リブ１５３Ａ，１５３Ｂが、既設枠１１０の屋内側部１１０Ａに当接することで形成された隙間により、切粉ポケット１５３Ｃが設けられている。ここで、既設枠１１０には、第２取付部材１５０をねじ止めするためのねじ孔は予め形成されてはいない。そのため、延出部１５３を既設枠１１０の屋内側部１１０Ａにねじ止めする際に生じる切粉を、この切粉ポケット１５３Ｃ内に収容可能となっている。この切粉ポケット１５３Ｃは、本実施形態のように第２取付部材１５０を新設枠１２０とは別体で設け、当該第２取付部材１５０を既設枠１１０にねじ止めする場合に有効である。
【００６３】
図５は、図２に示す改装サッシ１の下横枠２００部分の拡大図である。上述したように、第２取付部材２５０の水平部２５０Ａの下面には、第１気密部材１Ｂが取り付けられている。既設枠２１０の屋内側部２１０Ａの上端部が、この第１気密部材１Ｂを介して第２取付部材２５０の水平部２５０Ａの下面に当接することで、既設枠１１０と第２取付部材２５０との隙間が塞がれ、高い気密性が得られる。この第１気密部材１Ｂは、上述の第１気密部材１Ａと同一の構造を有する気密パッキンである。
【００６４】
また、第２取付部材２５０の垂設部２５０Ｂの屋外側面には、第３気密部材３Ｂが取り付けられている。垂設部２５０Ｂが、この第３気密部材３Ｂを介して新設枠２２０の屋内側部２２０Ａに当接することで、新設枠２２０と第２取付部材２５０との隙間が塞がれ、高い気密性が得られる。この第３気密部材３Ｂは、上述の第３気密部材３Ａと同一の構造を有する気密パッキンである。
【００６５】
なお上述したように、第２取付部材２５０では、階段状部２５０Ｃの屋外側端部が、既設枠２１０の屋外側部２１０Ｄ及び新設枠２２０の屋外側垂設部２２０Ｄと、ねじ７Ｈによりねじ止めされる。すると、階段状部２５０Ｃを介して、垂設部２５０Ｂの屋外側面に取り付けられた第３気密部材３Ｂを、新設枠２２０の屋内側部２２０Ａに強く押圧する力が作用する。その結果、第３気密部材３Ｂの中空部が強く押し潰されることで、より高い気密性が確保されるようになっている。
【００６６】
図６は、図３に示す改装サッシ１の左縦枠３００部分の拡大図である。図６に示すように、第２取付部材３５０は、見込方向に延設された見込部３５１と、見込部３５１の屋内側端部から見付方向に延設された見付部３５２と、を含んで構成される。
【００６７】
見込部３５１の屋外側端部には、第３気密部材３Ｃが取り付けられている。第２取付部材３５０は、この第３気密部材３Ｃを介して新設枠３２０の屋内側部３２０Ａに当接することで、高い気密性が得られる。この第３気密部材３Ｃは、上述の第３気密部材３Ａ，３Ｂと同一の構造を有する気密パッキンである。
【００６８】
また、見付部３５２は、既設枠３１０の屋内側部３１０Ａと見込方向の位置が同一の位置に配置されている。見付部３５２の左側端部には第１気密部材１Ｃが取り付けられている。第２取付部材３５０は、この第１気密部材１Ｃを介して既設枠３１０の屋内側部３１０Ａの右側端部に当接することで、高い気密性が得られる。この第１気密部材１Ｃは、上述の第１気密部材１Ａ，１Ｂと同一の構造を有する気密パッキンである。
【００６９】
また、第２取付部材３５０の見付部３５２の左側端部には、見付部３５２よりも屋内側にずれてさらに左側に延びる延出部３５３が設けられている。この延出部１５３は、既設枠３１０の屋内側部３１０Ａに第１取付部材３３０とともにねじ止めされている。
ここで、延出部３５３の基端部と先端部には、既設枠３１０の屋内側部３１０Ａに向かって延びるリブ３５３Ａ，３５３Ｂが設けられており、先端部のリブ３５３Ｂは、基端部のリブ３５３Ａよりも長く延出している。そのため、延出部３５３が既設枠３１０の屋内側部３１０Ａにねじ止めされると、延出部３５３及び見付部３５２を介して、見込部３５１の屋外側端部に取り付けられた第３気密部材３Ｃを、新設枠３２０の屋内側部３２０Ａに強く押圧する力が作用する。その結果、第３気密部材３Ｃの中空部が強く押し潰されることで、より高い気密性が確保されるようになっている。
【００７０】
また、リブ３５３Ａ，３５３Ｂが、既設枠３１０の屋内側部３１０Ａに当接することで形成された隙間により、切粉ポケット３５３Ｃが設けられている。ここで、既設枠３１０には、第２取付部材３５０をねじ止めするためのねじ孔は予め形成されてはいない。そのため、延出部３５３を既設枠３１０の屋内側部３１０Ａにねじ止めする際に生じる切粉を、この切粉ポケット３５３Ｃ内に収容可能となっている。
【００７１】
以上まとめると、本実施形態に係る改装サッシ１の第２取付部材１５０〜４５０は、既設枠１１０〜４１０との間の隙間を塞ぐ既設枠側気密部材として、４つの第１気密部材１Ａ〜１Ｄを備えている。これら４つの第１気密部材１Ａ〜１Ｄは、上下横枠１００，２００及び左右縦枠３００，４００のそれぞれに沿って通しで延設された、長尺平板状の気密パッキンで構成される。
【００７２】
また、本実施形態に係る改装サッシ１の第２取付部材１５０〜４５０は、新設枠１２０〜４２０との間の隙間を塞ぐ新設枠側気密部材として、４つの第３気密部材３Ａ〜３Ｄを備えている。これら４つの第３気密部材３Ａ〜３Ｄは、上下横枠１００，２００及び左右縦枠３００，４００のそれぞれに沿って通しで延設された、中空部を有する長尺状の気密パッキンで構成される。
【００７３】
ここで、本実施形態に係る改装サッシ１は、既設枠側気密部材が、窓枠１０の四周に亘って連続して設けられていることを特徴としている。そのため、本実施形態に係る改装サッシ１は、上述の４つの第１気密部材１Ａ〜１Ｄを互いに連結する目的で、既設枠側気密部材としての４つの第２気密部材２Ａ〜２Ｄを、窓枠１０の四隅に備えている。即ち、４つの第１気密部材１Ａ〜１Ｄは、窓枠１０の四隅において、それぞれ第２気密部材２Ａ〜２Ｄに当接して圧着することで、互いに連結される。
【００７４】
同様に、本実施形態に係る改装サッシ１は、新設枠側気密部材が、窓枠１０の四周に亘って連続して設けられていることを特徴としている。そのため、本実施形態に係る改装サッシ１は、上述の４つの第３気密部材３Ａ〜３Ｄを互いに連結する目的で、新設枠側気密部材としての４つの第２気密部材２Ａ〜２Ｄを、窓枠１０の四隅に備えている。即ち、４つの第３気密部材３Ａ〜３Ｄは、窓枠１０の四隅において、それぞれ第２気密部材２Ａ〜２Ｄに当接して圧着することで、互いに連結される。
【００７５】
上述の通り本実施形態では、４つの第２気密部材２Ａ〜２Ｄを、既設枠側気密部材として用いるとともに、新設枠側気密部材としても併用している。従って、４つの第２気密部材２Ａ〜２Ｄは、第１気密部材１Ａ〜１Ｄを互いに連結することで既設枠側気密部材を窓枠１０の四周に亘って連続させるとともに、第３気密部材３Ａ〜３Ｄを互いに連結させることで新設枠側気密部材を窓枠１０の四周に亘って連続させる。
ただし、新設枠側気密部材として、第２気密部材２Ａ〜２Ｄとは別の第４気密部材を四隅に設けてもよい。
【００７６】
本実施形態の気密部材の配置について、図７〜図１１を参照して説明する。
図７及び図８は、本実施形態に係る改装サッシ１の第２気密部材の配置を示す縦断面図である。図９及び図１０は、本実施形態に係る改装サッシ１の第２気密部材の配置を示す斜視図である。図１１は、本実施形態に係る改装サッシ１の気密部材の配置を模式的に示す正面図である。
なお、図７及び図８では、新設枠や各障子等の記載を省略して示しており、図９及び図１０では、新設枠の記載を省略して示している。
【００７７】
図７では、屋内側から見て上側の隅に設けられた第２気密部材２Ａ（２Ｂ）と第２取付部材１５０（第１気密部材１Ａ及び第３気密部材３Ａを含む）との位置関係と、下側の隅に設けられた第２気密部材２Ｃ（２Ｄ）と第２取付部材２５０（第１気密部材１Ｂ及び第３気密部材３Ｂを含む）との位置関係を模式的に示している。
図８では、左下の隅に設けられた第２気密部材２Ｃと第２取付部材３５０（第１気密部材１Ｃ及び第３気密部材３Ｃを含む）との位置関係と、右下の隅に設けられた第２気密部材２Ｄと第２取付部材４５０（第１気密部材１Ｄ及び第３気密部材３Ｄを含む）との位置関係を示している。
また図９では、屋内側から見て左上の隅に設けられた第２気密部材２Ａを示している。図１０では、屋内側から見て右下の隅に設けられた第２気密部材２Ｄを示している。
【００７８】
ここで、上側の隅に設けられた第２気密部材２Ａ，２Ｂは互いに同一の構造であり、下側の隅に設けられた第２気密部材２Ｃ，２Ｄは互いに同一の構造である。また、上側の隅に設けられた第２気密部材２Ａ（２Ｂ）と、下側の隅に設けられた第２気密部材２Ｃ（２Ｄ）とは、異なる構造となっている。なお、これら第２気密部材２Ａ〜２Ｄは、いずれも軟質樹脂製のスポンジ状の気密パッキンで構成される。
【００７９】
図７〜図１１に示すように、上側に設けられた第２気密部材２Ａ（２Ｂ）は、横長の直方体状の下側部２０１Ａ（２０１Ｂ）と、下側部２０１Ａ（２０１Ｂ）上に設けられた縦長の直方体状の上側部２０２Ａ（２０２Ｂ）とで構成される。縦断面視において、第１気密部材１Ａは、第２気密部材２Ａ（２Ｂ）の上側部２０２Ａ（２０２Ｂ）と重複しており（図７参照）、第１気密部材１Ａの延設方向の両末端は、第２気密部材２Ａ（２Ｂ）の上側部２０２Ａ（２０２Ｂ）に当接して圧着されていることが分かる（図１１参照）。
第３気密部材３Ａは、縦断面視で第２気密部材２Ａ（２Ｂ）の下側部２０１Ａ（２０１Ｂ）上に位置しており（図７参照）、第３気密部材３Ａの延設方向の両末端は、第２気密部材２Ｂの下側部２０１Ｂ上に配置されていることが分かる（図１１参照）。
【００８０】
また、下側の隅に設けられた第２気密部材２Ｃ，２Ｄは、平板状に形成され、左右の縦枠３００，４００の障子側の形状に沿った形状を有している。第１気密部材１Ｂは、縦断面視で第２気密部材２Ｃの下側に位置しており（図７参照）、第１気密部材１Ｂの延設方向の両末端は、第２気密部材２Ｃの下側に配置されていることが分かる（図１１参照）。
第３気密部材３Ｂは、縦断面視で第２気密部材２Ｃと重複しており（図７参照）、第３気密部材３Ｂの延設方向の両末端は、第２気密部材２Ｃに当接して圧着していることが分かる（図１１参照）。
【００８１】
また、第１気密部材１Ｃは、横断面視で第２気密部材２Ｃ上に位置しており（図８参照）、第１気密部材１Ｃの延設方向の両末端は、第２気密部材２Ａ，２Ｃに当接して圧着されていることが分かる。
第３気密部材３Ｃは、横断面視で第２気密部材２Ｃ上に位置しており（図８参照）、第３気密部材３Ｃの延設方向の両末端は、第２気密部材２Ａ，２Ｃに当接して圧着されていることが分かる。
なお、第１気密部材１Ｄは第１気密部材１Ｃと同様であり、第３気密部材３Ｄは第３気密部材３Ｃと同様である。
【００８２】
以上より、既設枠側気密部材としての４つの第１気密部材１Ａ〜１Ｄは、窓枠１０の四隅において、それぞれ第２気密部材２Ａ〜２Ｄに当接して圧着されることで、互いに連結されていることが分かる。即ち、既設枠側気密部材は窓枠１０の四周に亘って連続して設けられている。
同様に、新設枠側気密部材としての４つの第３気密部材３Ａ〜３Ｄは、窓枠１０の四隅において、それぞれ第２気密部材２Ａ〜２Ｄに当接して圧着されることで、互いに連結されていることが分かる。即ち、新設枠側気密部材は窓枠１０の四周に亘って連続して設けられている。
【００８３】
次に、本実施形態に係る改装サッシ１の施工方法について、上横枠１００を施工する場合を例に挙げて説明する。
図１２は、本実施形態に係る改装サッシ１の施工手順を示す図である。具体的には、改装サッシ１の上枠１００部分の拡大図である。図１２に示すように、本実施形態に係る改装サッシ１の施工方法は、新設枠取付工程と、ライナー挿入工程と、接合工程と、を有する。
【００８４】
先ず、図１２（ａ）は、既設枠１１０から障子を取り外し、既設枠１１０が露出した状態を示している。
【００８５】
図１２（ａ）〜（ｂ）は、新設枠取付工程を示している。即ち、新設枠取付工程では、既設枠１１０に第１取付部材１３０をねじ７Ｂでねじ止めすることで、既設枠１１０の内周面に第１取付部材１３０を取り付ける。その後、新設枠１２０を第１取付部材１３０の内周面側に配置する。
【００８６】
次いで、図１２（ｂ）〜（ｃ）は、ライナー挿入工程を示している。即ち、ライナー挿入工程では、第１取付部材１３０と新設枠１２０との間に形成された隙間に、屋内側からライナー１４０（４枚の積層体）を挿入する。ライナー１４０を挿入後、ライナー１４０を介して新設枠１２０を第１取付部材１３０にねじ７Ｄによりねじ止めする。
【００８７】
次いで、図１２（ｃ）〜（ｄ）は、接合工程を示している。即ち、接合工程では、第２取付部材１５０により、既設枠１１０の屋内側部１１０Ａと新設枠１２０の屋内側部１２０Ａを接合する。
具体的には、第１気密部材１Ａを介して第２取付部材１５０を下方から、既設枠１１０の屋内側部１１０Ａの下端部に押し当てる。このとき、上側の隅に設けられた第２気密部材２Ａ，２Ｂを圧縮して押し潰しながら、第３気密部材３Ａをケンドン式に嵌め込む。これにより、嵌め込んだ後も第２気密部材２Ａ，２Ｂの反発力が確保され、高い気密性が得られるようになる。
【００８８】
次いで、この状態で、屋内側から第２取付部材１５０を既設枠１１０にねじ７Ｅによりねじ止めする。このとき、第２取付部材１５０の延出部１５３の先端部に設けられたリブ１５３Ｂが基端部に設けられたリブ１５３Ａよりも長いことに起因して、垂直部１５２及び水平部１５１を介して、その屋外側端部に取り付けられた第３気密部材３Ａを、新設枠１２０の屋内側部１２０Ａに強く押圧する力が作用する。これにより、第３気密部材３Ａの中空部が強く押し潰される結果、高い気密性が確保される。
【００８９】
なお、本実施形態に係る改装サッシ１の施工方法では、上横枠１００及び左右の縦枠３００，４００において新設枠１２０，３２０，４２０を取り付ける前に、下横枠２００の新設枠２２０を先に取り付けることが好ましい。これは、取付時において、各新設枠は第３気密部材３Ａ〜３Ｄの反発力によって屋外側に逃げようとするところ、下横枠２００の新設枠２２０を先に取り付けることにより、上横枠１００及び左右の縦枠３００，４００における第３気密部材３Ａ，３Ｃ，３Ｄの反発力が作用せず、施工性が向上するからである。
【００９０】
本実施形態によれば以下の効果が奏される。
本実施形態に係る改装サッシ１では、既設枠（１１０，２１０，３１０，４１０）の屋内側部（１１０Ａ，２１０Ａ，３１０Ａ，４１０Ａ）と新設枠（１２０，２２０，３２０，４２０）の屋内側部（１２０Ａ，２２０Ａ，３２０Ａ，４２０Ａ）とに跨って両枠の延設方向に延び、両屋内側部を接合するための第２取付部材（１５０，２５０，３５０，４５０）を設けた。
また、既設枠（１１０，２１０，３１０，４１０）と第２取付部材（１５０，２５０，３５０，４５０）との接合部には、当該接合部の隙間を塞ぐ第１気密部材（１Ａ，１Ｂ，１Ｃ，１Ｄ）を設けるとともに、新設枠（１２０，２２０，３２０，４２０）と第２取付部材（１５０，２５０，３５０，４５０）との接合部には、当該接合部の隙間を塞ぐ第３気密部材（３Ａ，３Ｂ，３Ｃ，３Ｄ）を設けた。そして、第１気密部材（１Ａ，１Ｂ，１Ｃ，１Ｄ）及び第３気密部材（３Ａ，３Ｂ，３Ｃ，３Ｄ）のいずれか一方又は両方は、両枠の四周に亘って連続して設けた。
【００９１】
本実施形態によれば、既設枠と第２取付部材との接合部の隙間を塞ぐ第１気密部材と、新設枠と第２取付部材との接合部の隙間を塞ぐ第３気密部材のいずれか一方又は両方を、両枠の四周に亘って連続して設けたことにより、気密ラインが両枠の四周に亘って連続する。そのため、本実施形態によれば、従来よりも高い気密性が得られる。
また、本実施形態によれば、このような簡単な構造で高い気密性が得られ、製造コストを削減できる。さらには、上記気密部材により、既設枠の変形や新設枠取り付け時の施工誤差等による隙間の発生を防止でき、施工精度のバラツキを抑制できるため、施工性を向上できる。
また、屋外側に気密パッキンを設けた場合には、塗装吹き付け等により表面が荒れて高い気密性が得られないところ、本実施形態では屋内側に第１気密部材及び第３気密部材を設けたため、そのような不具合を回避できる。
【００９２】
ところで、従来の改装サッシでは、新設枠と既設枠の間の隙間を塞ぐために、新設枠に取り付けた屋外側の気密パッキンを既設枠に当てて水を切り、既設枠に通しで固定した取付補助材と新設枠を屋内側で重なり部を設けてねじ固定することで隙間を塞ぐ構造としていた。この構造では、新設枠固定時のライナー（調整スペーサ）を使用する際に取付補助材にライナーを通すための切り欠き加工が必要であり、開いた切り欠きを塞ぐ処置が必要となる等、コストや手間がかかることが課題であった。
これに対して本実施形態によれば、新設枠とは別体の第２取付部材を用いるため、ライナー挿入のための切り欠き加工が不要であり、上述のような不具合を回避でき、コストや手間を削減できる。
【００９３】
また本実施形態では、既設枠側気密部材を、第２取付部材（１５０，２５０，３５０，４５０）の延設方向に沿って延びる長尺状の４つの第１気密部材（１Ａ，１Ｂ，１Ｃ，１Ｄ）と、両枠の四隅に設けられた４つの第２気密部材（２Ａ，２Ｂ，２Ｃ，２Ｄ）を含んで構成するとともに、第１気密部材（１Ａ，１Ｂ，１Ｃ，１Ｄ）と第２気密部材（２Ａ，２Ｂ，２Ｃ，２Ｄ）を当接させた。
また本実施形態では、新設枠側気密部材は、第２取付部材（１５０，２５０，３５０，４５０）の延設方向に沿って延びる長尺状の４つの第３気密部材（３Ａ，３Ｂ，３Ｃ，３Ｄ）と、両枠の四隅に設けられた４つの第２気密部材（２Ａ，２Ｂ，２Ｃ，２Ｄ）を含んで構成するとともに、第３気密部材（３Ａ，３Ｂ，３Ｃ，３Ｄ）と第２気密部材（２Ａ，２Ｂ，２Ｃ，２Ｄ）を当接させた。
これにより、既設枠側気密部材及び新設枠側気密部材が両枠の四周に亘って連続するため、上記効果がより確実に発揮される。また、両枠の四隅において、第１〜第３気密部材間の隙間を目視で確認でき、現場での不具合の発生を回避できる。
【００９４】
また本実施形態では、既設枠の内周面に新設枠を取り付ける新設枠取付工程と、既設枠と新設枠との間に形成された隙間に、屋内側からライナー（１４０，３４０，４４０）を挿入するライナー挿入工程と、第２取付部材により、既設枠の屋内側部と新設枠の屋内側部を接合する接合工程と、を有し、接合工程は、既設枠側気密部材（例えば、後述の第１気密部材１Ａ，１Ｂ，１Ｃ，１Ｄ）を介して前記取付部材を既設枠に押し当てた状態で、屋内側から取付部材を既設枠に締結することで、前記新設枠側気密部材（例えば、後述の第３気密部材３Ａ，３Ｂ，３Ｃ，３Ｄ）を新設枠に押し当てることを特徴とする改装サッシの施工方法を提供する。
この施工方法によれば、簡易な方法により、高い気密性を有する改装サッシが得られる。
【００９５】
なお、本発明は上記実施形態に限定されるものではなく、本発明の目的を達成できる範囲での変形、改良等は本発明に含まれる。
【符号の説明】
【００９６】
１…改装サッシ
１Ａ〜１Ｄ…第１気密部材（既設枠側気密部材）
２Ａ〜２Ｄ…第２気密部材（既設枠側気密部材、新設枠側気密部材）
３Ａ〜３Ｄ…第３気密部材（新設枠側気密部材）
１１０，２１０，３１０，４１０…既設枠
１１０Ａ，２１０Ａ，３１０Ａ，４１０Ａ…既設枠の屋内側部
１２０，２２０，３２０，４２０…新設枠
１２０Ａ，２２０Ａ，３２０Ａ，４２０Ａ…新設枠の屋内側部
１５０，２５０，３５０，４５０…第２取付部材（取付部材）
【図１】
2015124545.tif 000003
【図２】
2015124545.tif 000004
【図３】
2015124545.tif 000005
【図４】
2015124545.tif 000006
【図５】
2015124545.tif 000007
【図６】
2015124545.tif 000008
【図７】
2015124545.tif 000009
【図８】
2015124545.tif 000010
【図９】
2015124545.tif 000011
【図１０】
2015124545.tif 000012
【図１１】
2015124545.tif 000013
【図１２】
2015124545.tif 000014